(57)【要約】【課題】コストアップすることなく表示部のＬＥＤの明るさを調整することのできる表示制御装置を提供すること。【解決手段】ＬＥＤの明るさにバラツキがある場合、明るさをを調整するために制御部は表示部のＬＥＤを駆動する駆動回路のデューティー比を変更する。表示が明るいＬＥＤに対してはデューティー比を小さく、暗いＬＥＤに対してはデューティー比を大きくすることで明るさを調節できるため、部品を変更したり追加したりする必要がなくコストアップの心配がない。【選択図】        図１
2004169936.tif 000002
【特許請求の範囲】
【請求項１】
液体燃料を加熱気化する気化器と、前記気化器により加熱気化された液体燃料を燃焼するバーナ部と、機器の運転・停止および各種操作を行う操作部と、複数のＬＥＤを備え運転状態を表示する表示部と、前記表示部のＬＥＤをダイナミックに駆動する駆動回路と、前記駆動回路のデューティー比を制御する制御部とを具備することを特徴とする燃焼機器の表示制御装置。
【請求項２】
液体燃料を加熱気化する気化器と、前記気化器により加熱気化された液体燃料を燃焼するバーナ部と、機器の運転・停止および各種操作を行う操作部と、複数のＬＥＤを備え運転状態を表示する表示部と、複数のブロックから構成され、前記表示部のＬＥＤをダイナミックに駆動する駆動回路と、ＬＥＤの明るさにバラツキがあるときは前記駆動回路のデューティー比を各ブロック毎に変化させるよう制御する制御部を具備することを特徴とする燃焼機器の表示装置。
【請求項３】
前記表示部は数字や文字を表示するセグメント表示用ＬＥＤおよびランプを点灯させて運転状態を表示するランプ表示用ＬＥＤを有し、前記駆動回路はセグメント表示用ＬＥＤとランプ表示用ＬＥＤを異なるブロックとして構成されていることを特徴とする請求項２記載の燃焼機器の表示装置。
【発明の詳細な説明】
【０００１】
【発明が属する技術分野】
本発明は、燃焼機器の運転状態や種々の警告をＬＥＤを用いて表示するものにおいて、特にＬＥＤをダイナミック方式で駆動する表示制御装置に関するものである。
【０００２】
【従来の技術】
一般に、燃焼機器の運転状態や種々の警告はＬＥＤを点灯・消灯することによって表示されている。そして、従来、ＬＥＤの駆動には種々の制御方法が用いられているが、その中の一つにＬＥＤをダイナミックに駆動するようにしたものがある（例えば、特許文献１参照）。ここで、ダイナミック駆動回路の例を図４を用いて説明する。
【０００３】
図４は例として２１個のＬＥＤ（そのうち１４個はセグメント表示用）を制御する場合を示した回路であり、ＬＥＤ（３１〜５１）、抵抗（５２〜５７）、トランジスタにより構成されＬＥＤに電流を流すためのドライバ（５８〜６７）、ドライバを制御する制御部８から構成されている。そして、制御部８はポート（Ｄｉｇ０〜Ｄｉｇ２、Ｄ０〜Ｄ６）から信号線を通してドライバを制御する信号を送るのだが、そのタイミングは図７に示すようになっていて、制御部８のポートＤｉｇ０、Ｄｉｇ１、Ｄｉｇ２からの信号によりドライバ５８、５９、６０はＬＥＤの点灯・消灯に関わらず常に所定時間Ｔ毎に順番にＯＮを繰り返している。そしてドライバ５８、５９、６０がＯＮとなるタイミングに合わせてポートＤ０〜Ｄ６から信号を送ることでドライバ６１〜６７のいずれかをＯＮさせると、所定のＬＥＤに電流が流れＬＥＤを点灯することができるのである。
【０００４】
例えば、Ｄｉｇ０がＯＮ（ドライバ５８がＯＮ）となるタイミングに合わせてＤ０をＯＮ（ドライバ６１をＯＮ）させることにより、ＬＥＤ３１に電流が流れてＬＥＤ３１が点灯する。しかし、その後所定時間Ｔ経過するとＤｉｇ０がＯＦＦ（ドライバ５８がＯＦＦ）になり、これに合わせてＤ０をＯＦＦ（ドライバ６１をＯＦＦ）とすると、ＬＥＤ３１には電流が流れなくなりＬＥＤ３１は消灯する。次に、Ｄｉｇ１がＯＮ（ドライバ５９がＯＮ）となるタイミングに合わせてＤ１とＤ３をＯＮ（ドライバ６２と６４をＯＮ）させると、ＬＥＤ３９と４１に電流が流れてＬＥＤ３９と４１が点灯する。そして所定時間Ｔ経過するとＤｉｇ１がＯＦＦ（ドライバ５９がＯＦＦ）になるので、同時にＤ１とＤ３をＯＦＦ（ドライバ６２と６４もＯＦＦ）とすると、ＬＥＤ３９と４１には電流が流れなくなりＬＥＤ３９と４１は消灯するのである。
【０００５】
このように、ＬＥＤの通電・非通電を短時間で切り替えることにより、擬似的に複数のＬＥＤを連続点灯しているように見せる駆動方式であり、ＬＥＤを常に連続点灯させる方式に比べて回路構成を簡単にすることができるため、多くの場合はこのダイナミック駆動を採用している。
【０００６】
なお、ドライバ５８、５９、６０は所定時間Ｔ毎に順番にＯＮを繰り返しているので、デューティー比はそれぞれ１／３ということになり、従って供給される電力が一定であるため、同じＬＥＤを用いていれば個々のＬＥＤの明るさは同じくなる。
【０００７】
【特許文献１】
特願２００２−２９１０９号公報
【０００８】
【発明が解決しようとする課題】
上述のように表示用に複数のＬＥＤを用いる場合には、表示を見やすくするため明るさにバラツキがでないように構成するのだが、上述のように個々のＬＥＤの明るさを同じくしても、ＬＥＤの配置等の問題から実際の装置に組み込んだ場合に同じ明るさが得られないことがある。また、ＬＥＤはランプの点灯用として用いられるだけではなく、複数のＬＥＤの点灯・消灯の組み合わせで１つの数字を表示するセグメント表示にも用いられていて、セグメントに用いるＬＥＤとランプの点灯に用いるＬＥＤでは形状が異なっていたり、セグメントは７個のＬＥＤの組み合わせで１つの数字を表示することなどから、個々のＬＥＤの明るさを同じとしても、ランプと数字では明るさが異なって見えてしまう。さらに、２色発光のＬＥＤなどでは色によっても明るさに違いがでてしまうため、状況に応じてＬＥＤの明るさを調整しなければならなくなってしまうという問題があった。
【０００９】
そこで、この問題を解消するために、ＬＥＤに接続されている抵抗の値を変えてＬＥＤに流れる電流の値を変えることで明るさを調節する方法が取られていた。しかし、そのためにはそれぞれに異なる抵抗を用いたり、従来の回路に抵抗を追加しなければならずコストアップにつながってしまっていた。
【００１０】
本発明は上記課題を解決するためのもので、コストアップすることなく表示部のＬＥＤの明るさを調整することのできる表示制御装置を提供することを目的とする。
【００１１】
【課題を解決するための手段】
請求項１記載の発明は、液体燃料を加熱気化する気化器と、前記気化器により加熱気化された液体燃料を燃焼するバーナ部と、機器の運転・停止および各種操作を行う操作部と、複数のＬＥＤを備え運転状態を表示する表示部と、前記表示部のＬＥＤをダイナミックに駆動する駆動回路と、前記駆動回路のデューティー比を制御する制御部とを具備する。
【００１２】
すなわち請求項１記載の発明では、ＬＥＤの明るさにバラツキがある場合、明るさをを調整するために制御部は表示部のＬＥＤを駆動する駆動回路のデューティー比を変更する。表示が明るいＬＥＤに対してはデューティー比を小さく、暗いＬＥＤに対してはデューティー比を大きくすることで明るさを調節できるため、部品を変更したり追加したりする必要がなくコストアップの心配がない。
【００１３】
請求項２記載の発明は、液体燃料を加熱気化する気化器と、前記気化器により加熱気化された液体燃料を燃焼するバーナ部と、機器の運転・停止および各種操作を行う操作部と、複数のＬＥＤを備え運転状態を表示する表示部と、複数のブロックから構成され、前記表示部のＬＥＤをダイナミックに駆動する駆動回路と、ＬＥＤの明るさにバラツキがあるときは前記駆動回路のデューティー比を各ブロック毎に変化させるよう制御する制御部を具備する。
【００１４】
すなわち請求項２記載の発明では、駆動回路は複数のブロックから構成されていて、ＬＥＤの明るさにバラツキがある場合、明るさをを調整するために制御部は表示部のＬＥＤを駆動する駆動回路のデューティー比をブロック毎に変更するので、部品を変更したり追加したりする必要がなくコストアップの心配がない。
【００１５】
請求項３記載の発明は、請求項２の発明において前記表示部は数字や文字を表示するセグメント表示用ＬＥＤおよびランプを点灯させて運転状態を表示するランプ表示用ＬＥＤを有し、前記駆動回路はセグメント表示用のＬＥＤとランプ表示用のＬＥＤを異なるブロックとして構成されている。
【００１６】
すなわち請求項３記載の発明では、表示部のセグメント表示とランプ表示のＬＥＤの明るさにバラツキがある場合、明るさを調整するために制御部はＬＥＤを駆動する駆動回路のセグメント表示部分とランプ表示部分へのデューティー比を変更する。表示が明るいＬＥＤに対してはデューティー比を小さく、暗いＬＥＤに対してはデューティー比を大きくすることで明るさを調節できる。
【００１７】
【発明の実施の形態】
以下、本発明の実施例の燃焼器を図１から図６をもとに説明する。
【００１８】
図１および２より、本体１の内部には、カートリッジタンク２から供給される液体燃料（灯油）を貯蔵した油受皿３、液体燃料を加熱して気化するための気化器４、気化器４により気化された気化ガスと一次空気を混合して混合ガスとし燃焼させるバーナ部５が設けられている。また、本体１の外側には運転・停止の指示やタイマー設定などの各種操作を行う操作部６と、複数のＬＥＤにより構成されて機器の運転状態や警告を表示する表示部７が同じプレート上に設けられている。そして、制御部８は操作部６からの信号により気化器４、バーナ部５、表示部７のＬＥＤを駆動する駆動回路９の動作を制御する。
【００１９】
そして、図３はこのような燃焼器における操作部６および表示部７を表した図である。操作部６は、機器の運転・停止を指示する運転スイッチ１０、運転の延長を指示する運転延長スイッチ１１、タイマー運転を指示するタイマースイッチ１２、７セグ表示部１４の表示内容を切り替える表示切替スイッチ１３から構成されている。また、表示部７は、上記スイッチ１０〜１３の操作に対応して点灯・消灯する運転ランプ１５、運転延長ランプ１６、タイマーランプ１７、そして液体燃料が所定量以下になったときに点灯する給油ランプ１８、切替スイッチ１３により切り替えた７セグ表示部１４の表示内容に応じて点灯する現在時刻ランプ１９、時刻合せランプ２０、タイマー合せランプ２１を有している。７セグ表示部１４は数字や文字を表示する７セグＬＥＤで構成されている。
【００２０】
次に上述の構成における動作を説明する。使用者により運転スイッチ１０が押下されると運転ランプ１５が点灯し、燃焼器の運転が開始される。すると、油受皿３内の液体燃料は気化器４へ供給され、液体燃料は気化器４によって加熱されて気化ガスとなり、この気化ガスは空気と混合されて混合ガスとなって、バーナ部５に供給される。そして、バーナ部５に供給された混合ガスは点火されて燃焼を開始する。
【００２１】
そして、燃焼により油受皿３の液体燃料が消費されると、カートリッジタンク２から液体燃料が供給されるが、カートリッジタンク２内の液体燃料がなくなって、油受皿３内の液体燃料が所定量以下になると、給油ランプ１８が点灯して使用者に給油が必要であることを知らせる。
【００２２】
また、燃焼器は安全上、所定時間燃焼が継続すると、燃焼を停止させるようになっている。しかし、燃焼が停止する前に運転延長ランプ１６を点灯させることで使用者に燃焼が停止することを知らせるようになっているので、使用者は換気を行うなどしてから運転延長スイッチ１１を押下し、運転の延長を指示することができる。
【００２３】
また、７セグ表示部１４には運転中は設定温度と室内温度が表示され、待機中は現在時刻が表示されている。そこで、現在時刻やタイマー時刻を合わせるときは、表示切替スイッチ１３により７セグ表示部１４の表示を切り替えると、７セグ表示部１４が変化するのに合わせて現在時刻ランプ１９から時刻合わせランプ２０、タイマー合わせランプ２１へと点灯するランプが移動する。そして、タイマースイッチ１２によりタイマー運転が指示されたときはタイマーランプ１７が点灯する。
【００２４】
７セグ表示部１４には、上述のように室温や時刻を表示するだけでなく、機器に異常があった場合にはそのエラー内容も表示される。
【００２５】
次に、表示部７のＬＥＤを駆動する駆動回路９について説明する。駆動回路９は図４に示すように、複数のブロック（ブロック０〜ブロック２）から構成されていて、ブロック０はランプ表示用のＬＥＤ、ブロック１と２はセグメント表示用のＬＥＤである。なお、このブロックの数は表示部７に設けられるＬＥＤの数によって決められるものであるが、ここではブロックの数を３として説明することとする。また、各ブロックには７個のＬＥＤ（３１〜３７、３８〜４４、４５〜５１）と、抵抗（５２・５３、５４・５５、５６・５７）と、トランジスタにより構成されＬＥＤに電流を流すためのドライバ（５８、５９、６０）が信号線を介して設けられており、ドライバ５８、５９、６０はそれぞれ制御部８のポートＤｉｇ０、Ｄｉｇ１、Ｄｉｇ２に接続されている。
【００２６】
さらに、駆動回路９は各ブロックのＬＥＤに接続されているドライバ６１〜６７を有しており、このドライバ６１〜６７はそれぞれ制御部８のポートＤ０〜Ｄ７に接続されている。
【００２７】
そして制御部８が各ポート（Ｄｉｇ０〜２、Ｄ０〜Ｄ６）から信号線に信号を出力すると、そのポートに接続されているドライバに電流が流れてトランジスタがＯＮとなる。また、Ｄｉｇ０、Ｄｉｇ１、Ｄｉｇ２が順にＯＮを繰り返すことによりドライバ５８、５９、６０が順番にＯＮとなるように制御されている。そして、このドライバ５８、５９、６０がＯＮとなるタイミングに合わせてＤ０〜Ｄ６をＯＮさせるとドライバ６１〜６７がＯＮとなり、所定のＬＥＤに電流が流れるようになるので、ランプを点灯させたり７セグ表示部１４に数字や文字が表示される。
【００２８】
なお、表示を見やすくなるように、表示部７のＬＥＤは個々の明るさが同じになるように構成されているが、ＬＥＤの実装条件や種類によりＬＥＤの明るさにバラツキが生じることがある。そのような場合は、ドライバ５８、５９、６０のデューティー比を変更することでブロック毎にＬＥＤの明るさを調節することができ、ＬＥＤを暗くしたいブロックはデューティー比を小さく、反対にＬＥＤを明るくしたいブロックはデューティー比を大きくして全体の明るさが均一になるように調節する。
【００２９】
また、ブロックはセグメント表示用とランプ表示用とを分けて構成されている。例えば、本実施例ではブロック０はランプ表示用のＬＥＤのみで構成され、ブロック１とブロック２はセグメント表示用のＬＥＤにより構成されており、１ブロックで１つの文字または数字が表示できるようになっている。
【００３０】
図５、６は駆動回路９の制御のタイミングを表した図で、図５はブロック０の明るさが他のブロックより暗いため表示部７の明るさが不均一になっていた場合の制御のタイミングチャートである。Ｄｉｇ０、Ｄｉｇ１、Ｄｉｇ２からの信号により、ドライバ５８、５９、６０は順番にＯＮを繰り返すよう制御されているが、ＯＮとなる時間の割合は２：１：１となっていて、つまりデューティー比はブロック０が２／４、ブロック１と２が１／４ということになる。ブロック０のデューティー比を他のブロックより大きくすることで、ブロック０のＬＥＤの明るさを明るくして表示部７の明るさが均一になるよう調整している。
【００３１】
そしてＤｉｇ０がＯＮ（ドライバ５８がＯＮ）となるタイミングに合わせてＤ０をＯＮ（ドライバ６１をＯＮ）させることにより、ＬＥＤ３１に電流が流れてＬＥＤ３１が点灯する。しかし、その後所定時間２Ｔが経過するとＤｉｇ０がＯＦＦ（ドライバ５８がＯＦＦ）になり、これに合わせてＤ０をＯＦＦ（ドライバ６１をＯＦＦ）とすると、ＬＥＤ３１には電流が流れなくなりＬＥＤ３１は消灯する。
【００３２】
次に、Ｄｉｇ１がＯＮ（ドライバ５９がＯＮ）となるタイミングに合わせてＤ１とＤ３をＯＮ（ドライバ６２と６４をＯＮ）させると、ＬＥＤ３９と４１に電流が流れてＬＥＤ３９と４１が点灯し、このセグメントには数字が表示される。そして所定時間Ｔ経過するとＤｉｇ１がＯＦＦ（ドライバ５９がＯＦＦ）になるので、同時にＤ１とＤ３をＯＦＦ（ドライバ６２と６４をＯＦＦ）とすると、ＬＥＤ３９と４１には電流が流れなくなりＬＥＤ３９と４１は消灯するのである。そしてその後Ｄｉｇ２がＯＮ（ドライバ６０がＯＮ）となるが、このときＤ０からＤ６のいずれもＯＮにならないので、ここには数字は表示されない。
【００３３】
一方、図６はブロック０の明るさが他のブロックより明るいため表示部７の明るさが不均一になっていた場合の制御のタイミングチャートである。Ｄｉｇ０、Ｄｉｇ１、Ｄｉｇ２からの信号により、ドライバ５８、５９、６０は順番にＯＮを繰り返すよう制御されているが、ＯＮとなる時間の割合は１：２：２となっていて、つまりデューティー比はブロック０が１／５、ブロック１と２が２／５ということになる。ブロック０のデューティー比を他のブロックより小さくすることで、ブロック０のＬＥＤの明るさを暗くして表示部７の明るさが均一になるように調整している。
【００３４】
なお、デューティー比の値はこれに限るものではなく、表示部７の明るさのバラツキによって比率を適宜変更して調節できるものである。
【００３５】
【発明の効果】
以上に説明したように請求項１および２の発明によれば、表示部のＬＥＤの明るさにバラツキがある場合、制御部は表示部のＬＥＤを駆動する駆動回路のデューティー比を変更して明るさを調節できる。よって、明るさを調節するために部品を変更したり追加したりする必要がなくコストアップの心配がない。
【００３６】
また、請求項３の発明によれば、明るさに違いのでやすいランプ点灯用のＬＥＤとセグメント表示用のＬＥＤとを異なるブロックとして駆動回路が構成されているので、請求項１および２に加えてより効果的に表示部の明るさを調節することができる。
【図面の簡単な説明】
【図１】本発明の実施例の構成を表したブロック図である。
【図２】本発明の実施例の構造図である。
【図３】本発明の実施例の操作部と表示部を表した図である。
【図４】本発明および従来例の駆動回路の構成図である。
【図５】本発明の実施例の制御のタイムチャートである。
【図６】本発明の実施例の制御のタイムチャートである。
【図７】従来例の制御のタイムチャートである。
【符号の説明】
４  気化器
５  バーナ部
６  操作部
７  表示部
９  駆動回路
８  制御部
【図１】
2004169936.tif 000003
【図２】
2004169936.tif 000004
【図３】
2004169936.tif 000005
【図４】
2004169936.tif 000006
【図５】
2004169936.tif 000007
【図６】
2004169936.tif 000008
【図７】
2004169936.tif 000009